(57)【要約】【課題】第２の現像器に収容されている現像剤（混色現像剤）の色調を確認できることから、ユーザは安心して混色現像剤を用いて画像を形成できる画像形成装置を提供する。【解決手段】画像形成装置１０は、複数の第１の静電潜像担持体２０上にある現像剤を回収する複数の第１の回収部２８と、第２の現像器２４Ｒと、第１の回収部に回収された現像剤を第２の現像器に搬送する第１の現像剤搬送部４０と、第２の現像器に対応して設けられ、第２の現像器に収容されている現像剤を用いて現像される静電潜像を担持すると共に静電潜像を現像して得られた現像剤像を中間転写体１６に転写する第２の静電潜像担持体２６Ｒと、複数の第１の現像器にそれぞれ収容されている現像剤を第２の現像器に搬送する現像剤供給搬送部５０と、第２の現像器に収容されている現像剤の色調を検出する色調検出手段６２と、色調検出手段で検出された色調を表示する色調表示手段１１４を備えている。【選択図】図１
2008224788.tif 000002
【特許請求の範囲】
【請求項１】
複数の第１の現像器と、上記複数の第１の現像器にそれぞれ収容された複数の現像剤であって他の第１の現像器に収容された現像剤とは異なる色を有する複数の現像剤と、上記複数の第１の現像器にそれぞれ対応する複数の第１の静電潜像担持体を備え、上記複数の第１の現像器から供給された現像剤を用いて、上記複数の第１の現像器のそれぞれに対応する複数の第１の静電潜像担持体上に現像剤像を形成し、上記複数の第１の静電潜像担持体上に形成されたそれぞれの現像剤像を中間転写体に転写してカラー画像を形成し、上記カラー画像をシートに転写する画像形成装置において、
上記複数の第１の静電潜像担持体上にある現像剤を回収する複数の第１の回収部と、
第２の現像器と、
上記第１の回収部に回収された現像剤を上記第２の現像器に搬送する第１の現像剤搬送部と、
上記第２の現像器に対応して設けられ、上記第２の現像器に収容されている現像剤を用いて現像される静電潜像を担持すると共に上記静電潜像を現像して得られた現像剤像を上記中間転写体に転写する第２の静電潜像担持体と、
上記複数の第１の現像器にそれぞれ収容されている現像剤を上記第２の現像器に搬送する現像剤供給搬送部と、
上記第２の現像器に収容されている現像剤の色調を検出する色調検出手段と、
上記色調検出手段で検出された色調を表示する色調表示手段を備えたことを特徴とする画像形成装置。
【請求項２】
上記中間転写体上にある未転写現像剤を回収する第２の回収部と、
上記第２の回収部に回収された現像剤を上記第２の現像器に搬送する第２の現像剤搬送部を備えたことを特徴とする請求項１の画像形成装置。
【請求項３】
上記第２の現像器に収容されている現像剤の色調の変更を指示する色調指示手段と、
上記色調指示手段の指示に応じて上記現像剤供給搬送部を駆動し、上記複数の第１の現像器の少なくとも一つから上記第１の現像剤を上記第２の現像器に供給する色調調整手段を備えたことを特徴とする請求項１又は２の画像形成装置。
【請求項４】
上記色調表示手段は、上記色調検出手段で検出された色調を表示する第１の色調表示部を有し、上記色調指示手段は、変更可能な一つ又は複数の色調を表示する第２の色調表示部と、上記第２の色調表示部に表示された色調を選択する色調選択部を有することを特徴とする請求項２の画像形成装置。
【発明の詳細な説明】
【技術分野】
【０００１】
本発明は、電子写真法を用いて画像を形成する画像形成装置に関する。
【背景技術】
【０００２】
電子写真式の画像形成装置として、静電潜像担持体上に残存する未転写の現像剤を回収して再び現像に使用するリサイクル機能を備えたものが提案されている。例えば、特許文献１には、複数の感光体上に形成された異なる色の現像剤像を中間転写体に一旦転写した後該中間転写体からシートに転写する画像形成装置であって、中間転写体に残存する未転写の複数の色の現像剤を一箇所に回収し、特定の色に対する回収混色現像剤の混色率を測定するとともに、その色の許容混色率に至るまで対応する色の現像剤を供給する手段を備えたものが提案されている。
【０００３】
また、特許文献２には、リサイクル専用現像器を設置し、回収された現像剤を専用現像器に供給し、混色量に応じて着色剤を添加して色調を安定させる画像形成装置が提案されている。
【特許文献１】特開２００２−３６５８７３号公報
【特許文献２】特開２０００−３５７０３号公報
【発明の開示】
【発明が解決しようとする課題】
【０００４】
しかしながら、前者の技術によれば、許容混色率まで新しい現像剤を供給することは、使用環境によっては、ある特定の色が過度に混色することになる。また、現像器、特に現像剤収容部の容積も限られており、供給できる現像剤の量も限られる。
【０００５】
また、後者の技術によれば、着色剤の添加は新たなコストアップを招来する。
【０００６】
他方、現像剤のリサイクルが一般化する状況にあっても、記録紙として白色度の高い紙が利用される傾向は変わらない。また、現像剤についても敢えて黒色である必要はないと思われるが、混色現像剤の色調が如何なる状態にあるかを知り得ない状況にあっては、混色現像剤の使用はユーザに新たな不安を与えることになる。当然、極端に偏った色調の混色現像剤は、出来上がった画像の品質を損ないかねない。
【課題を解決するための手段】
【０００７】
そこで、本願発明は、混色現像剤の色調を予めユーザに知らせることができる、リサイクル現像剤を使用可能な画像形成装置を提供することを目的とする。この目的を達成するため、本発明の画像形成装置は、複数の第１の現像器と、上記複数の第１の現像器にそれぞれ収容された複数の現像剤であって他の第１の現像器に収容された現像剤とは異なる色を有する複数の現像剤と、上記複数の第１の現像器にそれぞれ対応する複数の第１の静電潜像担持体を備え、上記複数の第１の現像器から供給された現像剤を用いて、上記複数の第１の現像器のそれぞれに対応する複数の第１の静電潜像担持体上に現像剤像を形成し、上記複数の第１の静電潜像担持体上に形成されたそれぞれの現像剤像を中間転写体に転写してカラー画像を形成し、上記カラー画像をシートに転写するものである。そして、画像形成装置は、上記複数の第１の静電潜像担持体上にある現像剤を回収する複数の第１の回収部と、第２の現像器と、上記第１の回収部に回収された現像剤を上記第２の現像器に搬送する第１の現像剤搬送部と、上記第２の現像器に対応して設けられ、上記第２の現像器に収容されている現像剤を用いて現像される静電潜像を担持すると共に上記静電潜像を現像して得られた現像剤像を上記中間転写体に転写する第２の静電潜像担持体と、上記複数の第１の現像器にそれぞれ収容されている現像剤を上記第２の現像器に搬送する現像剤供給搬送部と、上記第２の現像器に収容されている現像剤の色調を検出する色調検出手段と、上記色調検出手段で検出された色調を表示する色調表示手段を備えている。
【発明の効果】
【０００８】
このような構成を備えた画像形成装置によれば、第２の現像器に収容されている現像剤（混色現像剤）の色調を確認できることから、ユーザは安心して混色現像剤を用いて画像を形成できる。
【発明を実施するための最良の形態】
【０００９】
以下、添付図面を参照して本発明の好適な実施形態を説明する。
【画像形成装置の基本的な構成と動作】
【００１０】
画像形成装置１０の構成をその画像形成動作と共に説明する。画像形成時、図の左側上下に配置されたローラ１２，１４のいずれか一方に図示しないモータから回転が伝達される。ローラ１２又は１４の回転は、ローラ１２，１４に支持されている無端状中間転写体である中間転写ベルト（以下、「転写ベルト」という。）１６に伝達され、転写ベルト１６が時計回り方向に回転する。図の上側のローラ１２から図の下側のローラ１４に移動する右側の転写ベルト部の近傍には４つの作像部１８（１８Ｙ，１８Ｍ，１８Ｃ，１８Ｋ）が配置されており、これら４つの作像部１８からそれぞれ異なる色（イエロー、マゼンタ、シアン、ブラック）のトナー（現像剤）像が転写ベルト１６の外周面に転写されて重ね合わされてフルカラートナー像が形成される。
【００１１】
各作像部１８では、周知の電子写真法に基づき、転写ベルト１６の右側転写ベルト部の近傍に配置された感光体（静電潜像担持体）２０（２０Ｙ，２０Ｍ，２０Ｃ，２０Ｋ）の外周面にトナー像が形成され、このトナー像が転写ベルト１６に転写される。具体的には、感光体２０の外周面が帯電器（図示せず）で所定電位に帯電される。帯電された感光体２０の外周面には、画像露光部２２から出射された画像光（例えばレーザ光）が露光されて静電潜像が形成される。静電潜像は、第１の現像器である現像器２４から供給されるトナーによってトナー像として可視像化される。感光体２０上のトナー像は、転写ベルト１６の内側に配置された転写器（一次転写器）２６（２６Ｙ，２６Ｍ，２６Ｃ，２６Ｋ）によって転写ベルト１６に転写（一次転写）される。転写されたトナー像は転写ベルト１６上で重ね合わされ、フルカラートナー像が形成される。転写ベルト１６に転写されることなく感光体２０に残存するトナーは、回収部（第１の回収部）２８で回収される。
【００１２】
転写ベルト１６に転写されたトナー像は、図の下部に示す搬送経路３０に沿って搬送されるシート（例えば紙）に転写（二次転写）される。二次転写の原理は一次転写の原理と同様であり、下側のローラ１４及びこのローラ１４に支持されている転写ベルト部分に対向して配置されている転写器（二次転写器）３２によってシートに転写される。シートに転写されることなく転写ベルト１６上に残存するトナーは、回収部（第２の回収部）３４で回収される。シートに転写されたトナー像は、図示しない定着装置でシートに加熱定着される。このようにしてトナー像が定着されたシートは、図示しない排紙部に排出される。
【リサイクル機構及びリサイクル処理】
【００１３】
画像形成装置１０は、回収部２８，３４に回収された回収トナーを再利用するために、上述した４つの作像部１８（１８Ｙ，１８Ｍ，１８Ｃ，１８Ｋ）の他に、回収部２８，３４で回収されたトナーを用いて画像を形成するためのリサイクル作像部１８Ｒと、それに対応する画像露光部３６を有する。リサイクル作像部１８Ｒは上述した作像部１８（１８Ｙ，１８Ｍ，１８Ｃ，１８Ｋ）と同一又はほぼ同一の構成を有する。
【００１４】
画像形成装置１０はまた、回収部２８，３４の回収トナーを２つのリサイクルトナー搬送部（第１と第２の現像剤搬送部）４０、４６を有する。
【００１５】
リサイクルトナー搬送部４０は、作像部１８（１８Ｙ，１８Ｍ，１８Ｃ，１８Ｋ）の回収部２８（２８Ｙ，２８Ｍ，２８Ｃ，２８Ｋ）に回収された回収トナーをリサイクル作像部１８Ｒのリサイクル現像器（第２の現像器）２４Ｒ、具体的にはリサイクル現像器２４Ｒのリサイクルトナー収容部３８Ｒに搬送するもので、作像部１８（１８Ｙ，１８Ｍ，１８Ｃ，１８Ｋ）の回収部２８（２８Ｙ，２８Ｍ，２８Ｃ，２８Ｋ）とリサイクルトナー収容部３８Ｒを連絡するリサイクルトナー搬送路４２と、リサイクルトナー搬送路４２に沿って回収部２８（２８Ｙ，２８Ｍ，２８Ｃ，２８Ｋ）からリサイクルトナー収容部３８Ｒに回収トナーを搬送する手段（例えば、リサイクルトナー搬送路４２内に配置された一つ又は複数のコイルと該コイルを回転するモータ）を有する。
【００１６】
実施形態では、リサイクルトナー搬送部４０はまた、リサイクル作像部１８Ｒの回収部２８Ｒに回収されたトナーをリサイクルトナー収容部３８Ｒに送り戻するために、回収部２８Ｒとリサイクルトナー搬送路４２を連絡するリサイクルトナー搬送路４４と、リサイクルトナー搬送路４４に沿って、回収部２８Ｒの回収トナーをトナー搬送路４２に送り込む手段（例えば、トナー搬送路４４内に配置された一つ又は複数のコイルと該コイルを回転するモータ）を有する。
【００１７】
リサイクルトナー搬送部４６は、回収部３４に回収された回収トナーをリサイクル現像器２４Ｒのトナー収容部３８Ｒに搬送するもので、回収部３４とリサイクルトナー収容部３８Ｒを連絡するリサイクルトナー搬送路４８と、リサイクルトナー搬送路４８に沿って回収部３４からトナー収容部３８Ｒにトナーを搬送する手段（例えば、搬送路４４内に配置された一つ又は複数のコイルと該コイルを回転するモータ）を有する。
【００１８】
画像形成装置１０はまた、リサイクルトナー搬送部４２，４６に加えて、４つの作像部１８（１８Ｙ，１８Ｍ，１８Ｃ，１８Ｋ）の現像器２４（２４Ｙ，２４Ｍ，２４Ｃ，２４Ｋ）、特に、現像器２４（２４Ｙ，２４Ｍ，２４Ｃ，２４Ｋ）のトナー収容部３８（３８Ｙ，３８Ｍ，３８Ｃ，３８Ｋ）からリサイクル現像器２４Ｒのトナー収容部３８Ｒにイエロー、マゼンタ、シアン、ブラックのフレッシュトナーをそれぞれ搬送するフレッシュトナー搬送部（現像剤供給搬送部）５０を有する。
【００１９】
フレッシュトナー搬送部５０は、４つの作像部１８（１８Ｙ，１８Ｍ，１８Ｃ，１８Ｋ）の現像器２４からリサイクル現像器２４Ｒのトナー収容部３８Ｒに伸びるフレッシュトナー搬送路５２と、現像器２４（２４Ｙ，２４Ｍ，２４Ｃ，２４Ｋ）からイエロー、マゼンタ、シアン、ブラックのトナーを選択的に搬送する搬送手段を有する。この搬送手段は、各作像部１８（１８Ｙ，１８Ｍ，１８Ｃ，１８Ｋ）の現像器２４からトナーを取り出す手段、例えば、現像器内に配置されたコイルと該コイルを回転するモータ５２Ｙ，５２Ｍ，５２Ｃ，５２Ｋ（図２参照）と、現像器２４から取り出されたトナーを搬送路５２に沿って搬送する手段、例えば搬送路５２内に配置されたコイルと該コイルを回転するモータ５４（図２参照）を有する。
【００２０】
画像形成装置１０のリサイクル処理を簡単に説明する。作像部１８（１８Ｙ，１８Ｍ，１８Ｃ，１８Ｋ）の回収部２８（２８Ｙ，２８Ｍ，２８Ｃ，２８Ｋ）に回収されたトナーは、リサイクルトナー搬送部４０によってリサイクル現像器２４Ｒのリサイクルトナー収容部３８Ｒに搬送される。同様に、回収部３４に回収されたトナーは、リサイクルトナー搬送部４６によってリサイクル現像器２４Ｒのトナー収容部３８Ｒに搬送される。回収部２８、３４からリサイクルトナー収容部３８Ｒへのトナーの搬送は、例えば画像形成装置１０が所定数の画像形成後に自動的に行われる。そして、リサイクルトナー収容部３８Ｒに収容されている複数の色のトナーを含む混色トナーは、この混色トナーを用いた画像形成に利用される。以下、トナー収容部３８Ｒに収容されている混色トナーを「リサイクルトナー」という。
【００２１】
リサイクルトナーの色（色調）は、リサイクルトナーに含まれている４種類のトナー（イエロー、マゼンタ、シアン、ブラックのトナー）の混合率に依存する。そのため、現在のリサイクルトナーの色が、必ずしもユーザが希望する色に合致するとは限らない。そこで、画像形成装置１０は、以下に説明する色調整の機能を備えている。
【色調整】
【００２２】
リサイクルトナーの色調整について説明する。図２は、色調整を実行する、画像形成装置１０の色調整部１００を示す。図示するように、色調整部１００は、色調整用の制御部（色調調整手段）１０２と、トナー量検出器（現像剤量検出手段）１０４と、色調検出器（色調検出手段）１０６と、表示部（表示手段）１０８を有する。
【００２３】
色調整部１００の色調整について、図３を参照して説明する。色調整ではまず、トナー量検出器１０４が、リサイクル現像器２４Ｒのトナー収容部３８Ｒに収容されているリサイクルトナーの量を検出する（＃１）。トナー量検出器１０４は、例えば、現像器２６Ｒの収容されているリサイクルトナーのレベル（表面高さ）を光学的に検出する光学式検出器、または検出器上に位置するリサイクルトナーの重量から該リサイクルトナーの量又はレベルを検出する重量式検出器である。
【００２４】
トナー量検出器１０４の出力は制御部１０２に送信される。制御部１０２は、トナー量検出器１０４からの出力信号（リサイクルトナーの量を示す信号）をもとに、リサイクルトナー量が予め決められた量以上か否か、すなわち、リサイクル現像器２４Ｒが使用可能である程度までリサイクルトナーを収容しているか否かを判断する（ステップ＃２）。リサイクル現像器２４Ｒが使用可能であれば、図４に示す画面表示１１０が表示部１０８に表示される（ステップ＃３）。本実施形態において、表示部１０８は、画像形成装置１０の操作パネルに組み込まれた、フルカラー液晶ディルプレイとマトリックススイッチを組み合わせたタッチパネルである。
【００２５】
図示するように、表示部１０８の画面表示１１０は、「リサイクルトナーを使用可能です。使用しますか？」の表示１１２と、現在のリサイクルトナーの色調を表示する色調表示（色調表示手段／第１の色調表示部）１１４と、色調表示１１４に表示された色調を有するリサイクルトナーの使用を確認する「はい」の表示（使用スイッチ１１６）と、リサイクルトナーの不使用を確認する「いいえ」の表示（不使用スイッチ１１８）を含む。
【００２６】
色調表示１１４に表示されるリサイクルトナーの色調は、図１に示す色調検出器１０６で検出される。実施形態では、色調検出器１０６は、リサイクル現像器２４Ｒを用いて形成された混色トナー像の色調を検出する。具体的に、色調検出器１０６は、リサイクル現像器２４Ｒのリサイクルトナーを用いて形成されたリサイクルトナー像を転写器２６Ｒで感光体２０Ｒ（第２の静電潜像担持体）から転写ベルト１６に転写して形成された転写ベルト１６上のトナー像の色調を検出する。色調検出器１０６は、リサイクルトナーを用いて感光体２０Ｒ上に形成されたトナー像の色調を検出してもよい。
【００２７】
色調検出器１０６は、混色トナー像の色をイエロー、マゼンタ、シアンの三色又はイエロー、マゼンタ、シアン、ブラックの四色に色分解してそれぞれの成分の強度を検出する。色調検出器１０６の出力は制御部１０２に出力され、制御部１０２はその出力を用いて、リサイクル現像器２４Ｒ内に収容されているトナーの重量比を予測し、色調を確認する。そして、制御部１０２が確認した色調が、色調表示１１４に表示される。
【００２８】
不使用スイッチ１１８がオンされると（ステップ＃４：「ＮＯ」）、色調整の処理は終了する。使用スイッチ１１６がオンされると（ステップ＃４：「ＹＥＳ」）、表示部１０８の表示内容が図５に示す画面表示１２０に切り替わる（ステップ＃５）。画面表示１２０は、「色調整しますか？」の表示１２２と、現在のリサイクルトナーの色調を表示する色調表示１２４と、色調整を指示する「はい」の表示（調整要求スイッチ１２６）と、色調整を指示しない「いいえ」の表示（調整不要スイッチ１２８）を含む。
【００２９】
色調整不要スイッチ１２８がオンされると（ステップ＃６：「ＮＯ」）、色調整の処理は終了する。色調整要求スイッチ１２６がオンされると（ステップ＃６：「ＹＥＳ」）、表示部１０８の表示内容が図６に示す画面表示１３０に切り替わる（ステップ＃７）。画面表示１３０は、「以下のマトリックスからお選びください」の表示１３２と、現在のリサイクルトナーの色調を表示する色調表示１３４と、調整可能な色調（調整後の色調）をマトリックス表示するマトリックス表示部１３６を有する。実施形態では、現在のリサイクルトナーの色調を中心として、３行４列の調整可能な色調を表示する１２個の色調表示を含む。各色調表示は色調指定スイッチ（色調指示手段／第２の色調表示部）１３８を兼ねており、色調表示（色調指定スイッチ１３８）を押すことによって調整後の色調が指定されるようにしてある。
【００３０】
色調整可能な色、すなわち、色調表示に表示される色、また、色調指定スイッチ１３８で指定される色は、リサイクル現像器２４Ｒのトナー収容部３８Ｒに収容されているリサイクルトナーにそのリサイクルトナー量の所定割合（例えば１０％）だけのフレッシュトナーを追加した場合に得られる色調を限度とすることが好ましい。例えば、トナー収容部３８ＲにＸグラムのリサイクルトナーが収容されている場合、追加できる最大フレッシュトナーの量は０．１Ｘグラムまでとし、色調表示は、追加できる最大量までのフレッシュトナーを追加したときに得られる色調のみを表示する。したがって、マトリックス表示部１３６に表示される色調表示（色調指定スイッチ１３８）の数は、リサイクルトナーの色調に応じて異なる。
【００３１】
色調指定スイッチ１３８によって色調が指定されると（ステップ＃８：「ＹＥＳ」）、制御部１０２は表示部１０８の表示内容を図７に示す画面表示１４０に切り替える（ステップ＃９）。画面表示１４０は、「よろしいですか？」の表示１４２と、リサイクルトナーの現在の色調を表示する色調表示１４４と、指定された色調（変更後の色調）を表示する色調表示１４６と、変更後の色調を承認する「はい」の表示（承認スイッチ１４８）と、変更後の色調を承認しない（再調整を指示する）「いいえ」の表示（不承認スイッチ１５０）と、変更後の色調に調整するために必要なフレッシュトナー（イエロー、マゼンタ、シアン、ブラックのトナー）の量を表示するフレッシュトナー供給量表示部１５２を含む。
【００３２】
フレッシュトナー供給量表示部１５２に表示される各フレッシュトナーの量は、現在の色調と変更後の色調をもとに計算される。この計算は、例えば図２に示す供給量演算部１５４で行われる。供給量演算部１５４は、現在のリサイクルトナーの量と現在のリサイクルトナーに含まれている各色のトナーの比率をもとに、供給量演算部１５４に格納されているフレッシュトナー量演算式に基づいて変更後の色調のリサイクルトナーに含まれるべき各トナーの量を演算する。
【００３３】
画面表示１４０が表示されている状態で不承認スイッチ１５０がオンされると（ステップ＃１０：「ＮＯ」）、制御部１０２は、表示部１０８の表示内容を画面表示１３０に切り替える。承認スイッチ（「はい」）１４８がオンされると（ステップ＃１０：「ＹＥＳ」）、制御部１０２は、フレッシュトナー搬送部５０のモータ５２Ｙ，５２Ｍ，５２Ｃ，５２Ｋを駆動し、供給量演算部１５４で計算された量のフレッシュトナー（イエロー、マゼンタ、シアン、またはブラックのトナー）をフレッシュトナー収容部３８（３８Ｙ，３８Ｍ，３８Ｃ，３８Ｋ）からリサイクルトナー収容部３８Ｒに供給し、色調整の処理を終了する（ステップ＃１１）。したがって、後に画像形成の指示が入力されると、画像形成装置１０は、リサイクル作像部１８Ｒを駆動し、リサイクル現像器２４Ｒのリサイクルトナーを用いて画像が形成される。
【００３４】
図６に示すように、画面表示１３０に色強調部（色調指示手段）１６０を表示してもよい。図示する色強調部１６０は、イエロー、マゼンタ、シアン、ブラックのいずれかの色を強調する４つの強調スイッチ１６２を含む。いずれかの強調スイッチ１６２がオンされた場合、強調スイッチ１６２で指定された色を強調した色調が、画面表示１４０の色調表示（変更後の色調を表示する色調表示）１４６に表示される。例えば、現在のリサイクルトナーに含まれている各色成分トナー（イエロー、マゼンタ、シアン、ブラックのトナー）の量が図８（ａ）に示す分布を有する状態でブラック強調スイッチ１６２が押された場合、図８（ｂ）に示すように、供給量演算部１５４が強調の度合いに応じたトナー供給量を計算する。トナー供給量は、モータ５２Ｙ，５２Ｍ，５２Ｃ又は５２Ｋの駆動時間に相当する。制御部１０２は、供給量演算部１５４で計算されたトナー補給量（モータ駆動時間）をもとに対応するモータモータ５２Ｙと５２Ｃをそれぞれ必要時間だけ駆動し、イエローとシアンのフレッシュトナーをリサイクルトナー収容部３８Ｒに供給する。また、イエロー強調スイッチ１６２が押された場合、図８（ｃ）に示すように、制御部１０２はモータ５２Ｙと５２Ｃをそれぞれの供給量に応じた時間だけ駆動し、イエローとシアンのフレッシュトナーをリサイクルトナー収容部３８Ｒに供給する。
【変形例】
【００３５】
以上の説明では、表示部１０８は画像形成装置１０の操作部に配置されたフルカラータッチパネルとしたが、画像形成装置１０とネットワークを介して接続されたコンピュータのディスプレイに表示される画面表示であってもよい。この場合、各画面表示のスイッチは、ディスプレイに同時に表示されるポインタをマウスで操作（クリック）することによってオンできる。
【００３６】
なお、画像形成装置１０では、リサイクル作像部１８Ｒは着脱可能である。また、作像部１８Ｒを外した状態で、画像形成装置１０にはトナー回収容器２００を代わりに装着することが好ましい。
【図面の簡単な説明】
【００３７】
【図１】本発明に係る画像形成装置の概略構成を示す断面図。
【図２】画像形成装置の色調整に関連する構成を示すブロック図。
【図３】色調整の動作を説明するフローチャート。
【図４】色調整における表示部の画面表示を示す図。
【図５】色調整における表示部の画面表示を示す図。
【図６】色調整における表示部の画面表示を示す図。
【図７】色調整における表示部の画面表示を示す図。
【図８】色調整の動作を説明する図。
【図９】リサイクル作像部に代えてトナー回収容器を装着した画像形成装置の概略構成を示す断面図。
【符号の説明】
【００３８】
１０：画像形成装置、１２，１４：ローラ、１６：中間転写ベルト、１８：作像部、２０：感光体、２２：画像露光部、２４：現像器、２６：転写器（一次転写器）、２８：回収部（第1の回収部）、３０：搬送経路、３２：転写器（二次転写器）、３４：回収部（第２の回収部）、３６：画像露光部、３８：トナー収容部、４０：リサイクルトナー搬送部、４２：リサイクルトナー搬送路、４４：リサイクルトナー搬送路、４６：リサイクルトナー搬送部、４８：リサイクルトナー搬送路、５０：フレッシュトナー搬送部、５２Ｙ，５２Ｍ，５２Ｃ，５２Ｋ：モータ、１００：色調整部、１０２：制御部、１０４：トナー量検出器、１０６：色調検出器、１０８：表示部、１１０：画面表示、１１２：表示、１１４：色調表示、１１６：使用スイッチ、１１８：不使用スイッチ、１２０：画面表示、１２２：表示、１２４：色調表示、１２６：調整要求スイッチ、１２８：調整不要スイッチ、１３０：画面表示、１３２：表示、１３４：色調表示、１３６：マトリックス表示部、１３８：色調指定スイッチ、１４０：画面表示、１４２；表示、１４４：色調表示、１４６：色調表示、１４８：承認スイッチ、１５０：不承認スイッチ、１５２：供給量表示部、１５４：供給量演算部。
【図１】
2008224788.tif 000003
【図２】
2008224788.tif 000004
【図３】
2008224788.tif 000005
【図４】
2008224788.tif 000006
【図５】
2008224788.tif 000007
【図６】
2008224788.tif 000008
【図７】
2008224788.tif 000009
【図８】
2008224788.tif 000010
【図９】
2008224788.tif 000011